(57)【要約】【課題】ラップフィルムをうまくカットできるラップカッター補助具を提供する。【解決手段】  ラップフィルムをカットするラップカッター補助具であって、このラップカッター補助具は、平板状で細長い第一のベースと、この第一のベースに直角に結合された第二のベースと、これらのベースをラップケースに粘着する粘着材とから構成され、このラップカッター補助具がラップケースのラップカッターの近傍を押さえるように取り付けることができることを特徴とするラップカッター補助具。【選択図】図２
2020100441.tif 000002
【特許請求の範囲】
【請求項１】
ラップカッター補助具であって、このラップカッター補助具は、平板状で細長いベースと、このベースをラップケースに粘着する粘着材とから構成され、このラップカッター補助具がラップケースのラップカッターの近傍を押さえるように取り付けることができることを特徴とするラップカッター補助具。
【請求項２】
請求項１のラップカッター補助具のベースは、平板状で細長い第一のベースと、この第一のベースに略直角に結合された第二のベースと、これらのベースをラップケースに粘着する粘着材とから構成され、このラップカッター補助具がラップケースのラップカッターの近傍を押さえるように取り付けることができることを特徴とするラップカッター補助具。
【請求項３】
請求項１又は請求項２のラップカッター補助具に補助カッターを設けたことを特徴とするラップカッター補助具。
【請求項４】
請求項１乃至請求項３の何れかのラップカッター補助具に磁石を設けたことを特徴とするラップカッター補助具。
【発明の詳細な説明】
【技術分野】
【０００１】  この発明は、ラップケースに入ったラップフィルムを切り易くするラップカッター補助具に関する。
【背景技術】
【０００２】  従来、調理等に使う紙のラップケースに入ったラップフィルムを切り易くするため、ラップカッターが用いられてきた。
【先行技術文献】
【特許文献】
【０００３】
【特許文献１】特開平９−２８６４４０
【発明の概要】
【発明が解決しようとする課題】
【０００４】  例えば、特許文献１に示す技術では、紙のケースの一端にカッター１８が取り付けられていた。このように紙のケースにカッターを取り付けた技術では、紙の剛性が低いため、カッターが曲がってしまい、ラップフィルムがうまくカットされないという問題があった。
【課題を解決するための手段】
【０００５】  ラップカッター補助具であって、このラップカッター補助具は、平板状で細長いベースと、このベースをラップケースに粘着する粘着材とから構成され、このラップカッター補助具がラップケースのラップカッターの近傍を押さえるように取り付けることができることを特徴とするラップカッター補助具。
【発明の効果】
【０００６】  この発明により上記の問題点を解決し、ラップフィルムをうまくカットできるラップカッター補助具を提供することができる。
【図面の簡単な説明】
【０００７】
【図１】第一の実施例のラップカッター補助具をラップケースに取り付けた平面図、正面図である。
【図２】第一の実施例のラップカッター補助具をラップケースに取り付けた右側面図である。
【図３】第一の実施例のラップカッター補助具をラップケースに取り付けた横断面図である。
【図４】第一の実施例のラップカッター補助具の平面図、正面図、背面図、底面図、右側面図である。左側面図は右側面図と対称に表れる。
【図５】第二の実施例のラップカッター補助具の平面図、正面図、背面図、底面図、右側面図である。左側面図は右側面図と対称に表れる。
【図６】第三の実施例のラップカッター補助具の平面図、正面図、背面図、底面図、右側面図である。左側面図は右側面図と対称に表れる。
【図７】第四の実施例のラップカッター補助具の平面図、正面図、背面図、底面図、右側面図である。左側面図は右側面図と対称に表れる。
【発明を実施するための形態】
【０００８】  ラップカッター補助具であって、このラップカッター補助具は、平板状で細長いベースと、このベースをラップケースに粘着する粘着材とから構成され、このラップカッター補助具がラップケースのラップカッターの近傍を押さえるように取り付けることができることを特徴とするラップカッター補助具。
【０００９】  ラップフィルムをカットするラップカッター補助具であって、このラップカッター補助具は、平板状で細長い第一のベースと、この第一のベースに直角に結合された第二のベースと、これらのベースをラップケースに粘着する粘着材とから構成され、このラップカッター補助具がラップケースのラップカッターの近傍を押さえるように取り付けることができることを特徴とするラップカッター補助具。
【００１０】  上記のラップカッター補助具に補助カッターを設けたことを特徴とするラップカッター補助具。
上記のラップカッター補助具に磁石を設けたことを特徴とするラップカッター補助具。
【実施例】
【００１１】  図１、図２、図３、図４により第一の実施例のラップカッター補助具を説明する。ラップカッター補助具１０は、平板状で略長方形の第一のベース１１Ａと、この第一のベース１１Ａに直角に結合された略平板状で長方形の第二のベース１１Ｂと、これらのベース１１をラップケース２０に粘着する粘着材１３とから構成される。【００１２】  この実施例では、プラスチック又はアルミニウムの押し出し成型で成形するのが好ましいが、インジェクション成型でも可能である。粘着材は繰り返し脱着可能でであり、表面が汚れたら水で洗えば何回でも使用が可能である。【００１３】  実施例のラップカッター補助具１０は、第二のベース１１Ｂがラップカッター２１の近傍を押さえるように、ラップケース２０の角に取り付けて使用する。第二のベース１１Ｂがラップカッター２１の近傍を押さえるので、ラップカッター２１が浮き上がらない。この為、ラップフィルムの端から端まできれいにカットすることができる。【００１４】  指かけ凸部１４は、ラップケース２０から離れる方向に曲げられ、ラップカッター補助具１０をラップケース２０から取り外す際に楽に指をかけることができる。滑り止め１５は、ラップケース２０を持った時、滑り難くする効果がある。【００１５】  図５の第二の実施例は、ラップカッター補助具１０を金属板をカット、折り曲げて作成するものである。細長い指かけ孔１６を設けて指をかけてカッター補助具１０が滑り落ちないようにするものである。【００１６】  図６の第三の実施例は、第二のベース１１Ｂの先端に補助カッター１７を設けたものである。ラップケース２０についているラップカッターはプラスチックでできているものもあり、金属板でできているものもコストダウンの為、切れ味がよくないものが多い。ラップカッター補助具１０に専用の補助カッター１７を設けることにより、切れ味を向上させることができる。【００１７】  図７の第四の実施例は、第一のベース１１Ａに磁石１８を設けたものである。このようにすると、ラップケース２０と共に冷蔵庫等に取り付けることができる。場合によっては、ティッシュペーパーのケース等を冷蔵庫等に取り付けることもできる。
【産業上の利用可能性】
【００１８】  この発明のラップカッター補助具は、ラップケースに取り付けて使用するが、アルミ箔、キッチンペーパー等ロール状に巻いた他のフィルムのケースにも利用可能である。
【符号の説明】
【００１９】１０はラップカッター補助具
１１はベース
１１Ａは第一のベース
１１Ｂは第二のベース
１３は粘着材
１４は指かけ凸部
１５は滑り止め
１６は指かけ孔
１７は補助カッター
１８は磁石
２０はラップケース
２１はラップカッター
【図１】
2020100441.tif 000003
【図２】
2020100441.tif 000004
【図３】
2020100441.tif 000005
【図４】
2020100441.tif 000006
【図５】
2020100441.tif 000007
【図６】
2020100441.tif 000008
【図７】
2020100441.tif 000009